(57)【要約】      （修正有）【課題】可搬性においてすぐれた分離可能な支柱とベース板により簡易なものとして構成され、支柱の周囲における歩行や各種作業の障害になったりせず、支柱を他物に近接して立設することができる多目的伸縮スタンドを提供する。【解決手段】重錘を載置可能な金属平板からなるベース板１に支柱１０を固定するためのボルトを立設すると共に、該ベース板の全周にゴム弾性を有する緩衝部材３を巻着し、上記ボルトに金属パイプからなる支柱パイプ１１ａ〜１１ｄを伸縮自在に連結した支柱を螺脱自在に螺挿する。最上段の支柱パイプ１１ｄの上端には、雲台その他の支持対象物の取付軸を嵌入してネジ固定可能にした支持孔２１を有する取付台２０を備える。【選択図】図１
0003155574.tif 000002
【実用新案登録請求の範囲】
【請求項１】
重錘を載置可能な金属平板からなるベース板に支柱を固定するためのボルトを立設すると共に、該ベース板の全周にゴム弾性を有する緩衝部材を巻着し、
上記ボルトに金属パイプからなる支柱パイプを複数段に伸縮自在に連結した支柱を螺脱自在に螺挿し、
最上段の支柱パイプの上端に、雲台その他の支持対象物の取付軸を嵌入する上向きの支持孔を有していて、上記取付軸をその支持孔に嵌入してネジ固定可能にした取付台を備えている、
ことを特徴とする多目的伸縮スタンド。
【請求項２】
上記ベース板の全周に巻着した緩衝部材が断面コ字状をなしていて、その凹部をベース板周辺に嵌着し、該緩衝部材のベース板の裏面側に当接する部分により接地部を形成させている、
ことを特徴とする請求項１に記載の多目的伸縮スタンド。
【請求項３】
上記ベース板が円板状または正多角形状をなしている、
ことを特徴とする請求項１または２に記載の多目的伸縮スタンド。
【請求項４】
支柱立設用のボルトが該ベース板の中心から偏寄した位置に立設されている、
ことを特徴とする請求項１〜３のいずれかに記載の多目的伸縮スタンド。
【請求項５】
上記支柱立設用のボルトが、円板状をなすベース板の周辺から該ベース板の径の１／４だけ中心に寄った位置にある、
ことを特徴とする請求項３に記載の多目的伸縮スタンド。
【請求項６】
サイズを異にする複数のベース板を備え、それらのいずれにも同一の支柱を螺挿できるボルトを備えている、
ことを特徴とする請求項１〜５のいずれかに記載の多目的伸縮スタンド。
【請求項７】
ベース板の周辺の等分位置に少なくとも三つのアンカーボルト用の孔を設けている、
ことを特徴とする請求項１〜６のいずれかに記載の多目的伸縮スタンド。
【請求項８】
上記支柱の上端に設けた取付台における支持孔に嵌入してネジ固定可能な取付軸を有するテーブルを備え、
伸縮自在の上記支柱を最短にしたときの高さを、上記テーブルの使用に適する高さとした、
こと特徴とする請求項１〜７のいずれかに記載の多目的伸縮スタンド。
【考案の詳細な説明】
【技術分野】
【０００１】
本考案は、各種カメラによる撮影のためのカメラや照明関連機器の支持だけでなく、多目的に利用できる伸縮スタンドに関するものである。
【背景技術】
【０００２】
一般に、各種カメラによる撮影のためには、それらのカメラや照明関連機器、あるいはマイク等をスタンドに支持させて適切な位置に配置している。上記スタンドは、その構造や形態によって、上記カメラによる撮影等に関連して使用するだけでなく、各種の用途に適用することができるものであり、例えば、室内外の高位置に照明器具や扇風機を一時的に配設するとか、多くの人が集まるところに案内板や掲示板、あるいは視線を遮るための幕等を一時的に設置するためのスタンドとして利用できるものである。
【０００３】
従来から使用されているこの種スタンドの代表的なものとしては、コンクリート塊等の重量物からなる基台に支柱を立設するようにしたものや、三脚などが一般的であるが、前者は所期の位置への簡易な移動により利用できるものではなく、これに対し、後者の三脚は可搬性があって一時的に所要の場所に設置するのに適しているが、安定的な立設のためには各脚の周囲への張り出し長さが長くなり、特に、上記前者の重量物からなる基台を用いる場合と同等の安定性を得るためには、各脚が該基台の張り出し範囲よりも周囲に突出する可能性が高く、それらの脚が周囲での各種作業の障害になったり、歩行の邪魔になるという点で不利なものである。
【０００４】
これを具体的に説明するに、三脚の平面図を模式的に示す図４においては、中央の支柱Ｐの周囲に等間隔に３本の脚Ｌが張り出している状態を示している。この三脚における支柱Ｐが外力等により矢印Ａで示す一つの脚Ｌの方向に傾倒するのは、支点になる該脚Ｌの先端ａが支柱Ｐから最も離れていることから、効果的に抑制される。しかしながら、上記Ａの方向とは逆に、矢印Ｂで示す二つの脚Ｌの中間の方向に向けて傾倒する場合には、支点となる位置が二つの脚Ｌの先端ａ間を結ぶ直線上にあり、当該直線上で支柱Ｐから最も近い点ｂと支柱Ｐの中心との間の長さｃは、幾何学的に見て明らかに、脚Ｌの平面視での長さｄ（脚Ｌの先端ａと支柱Ｐの中心間の距離）の１／２であることから、支柱Ｐはそれに上記矢印Ｂ方向の力が作用すれば非常に傾倒しやすいものになっている。
【０００５】
結果的に、上記従来から用いられている三脚では、支柱Ｐから平面視で長さｄの脚Ｌが三方に突出していて、それらの脚Ｌの方向には傾倒し難いが、上記矢印Ｂ方向への支柱Ｐの傾倒に対しては上記脚の平面視の長さｄの１／２の脚があるのと同等であり、従って、各脚Ｌの先端側の１／２は、支柱の該脚Ｌの方向への傾倒を抑制するため貢献しているとしても、支柱間方向への傾倒には平面視の脚の長さｄの１／２の貢献しかなく、支柱の周囲への張り出しによって周囲での各種作業の障害になったり歩行の邪魔になっている。
また、上記三脚だけでなく、上記重量物からなる基台を用いるものであっても、その脚や基台が支柱から側方に張り出しているため、歩行域や作業域等において、邪魔にならないように支柱を他物に近接して立設するのは困難である。
【考案の概要】
【考案が解決しようとする課題】
【０００６】
本考案の技術的課題は、可搬性においてすぐれた分離可能な支柱とベース板により簡易なものとして構成され、支柱の周囲における歩行や各種作業の障害になったり歩行の邪魔になったりするような脚等が存在せず、そのため、人の歩行域や作業域において支柱を他物に近接して立設することができ、しかも上記支柱を安定的に立設して、多目的に利用できるようにした多目的伸縮スタンドを提供することにある。
【課題を解決するための手段】
【０００７】
上記課題を解決するため、本考案によれば、重錘を載置可能な金属平板からなるベース板に支柱を固定するためのボルトを立設すると共に、該ベース板の全周にゴム弾性を有する緩衝部材を巻着し、上記ボルトに金属パイプからなる支柱パイプを複数段に伸縮自在に連結した支柱を螺脱自在に螺挿し、最上段の支柱パイプの上端に、雲台その他の支持対象物の取付軸を嵌入する上向きの支持孔を有していて、上記取付軸をその支持孔に嵌入してネジ固定可能にした取付台を備えていることを特徴とする多目的伸縮スタンドが提供される。
【０００８】
本考案に係る多目的伸縮スタンドの好ましい実施形態においては、上記ベース板の全周に巻着した緩衝部材が断面コ字状をなしていて、その凹部をベース板周辺に嵌着し、該緩衝部材のベース板の裏面側に当接する部分により接地部が形成される。上記ベース板は、一般的には、円板状または正多角形状をなすものとして構成され、上記支柱立設用のボルトが該ベース板の中心から偏寄した位置、望ましくは、円板状等をなすベース板の周辺から該ベース板の径の１／４だけ中心に寄った位置に立設される。
【０００９】
また、本考案に係る多目的伸縮スタンドにおいて、上記ベース板は、その周辺の等分位置に少なくとも三つのアンカーボルト用の孔を設けて、必要に応じて地面その他にアンカーでより安定的に固定することができ、一方、サイズを異にする複数のベース板を備え、それらのいずれにも同一の支柱を螺挿できるボルトを備え、サイズの異なるベース板を選択的に使用可能にして安定的に支柱を立設することもできる。
更に、本考案に係る多目的伸縮スタンドの他の実施形態においては、上記支柱の上端に設けた取付台における支持孔に嵌入してネジ固定可能な取付軸を有するテーブルを備え、伸縮自在の上記支柱を最短にしたときの高さを、上記テーブルの使用に適する高さとしすることにより、このスタンドを各種作業用のテーブルの脚部材として利用することができる。
【００１０】
上記構成を有する多目的伸縮スタンドは、金属平板からなるベース板に溶接等でボルトを立設し、それに支柱を螺挿して固定するようにしているので、ベース板は単に鉄板を打ち抜いてそれにボルトを固定するだけで簡易且つ安価に構成することができ、しかも、上記支柱はベース板から螺脱することができるので、全体が金属平板からなるベース板と伸縮する支柱に分割され、可搬性においてすぐれたものになっている。
【００１１】
また、上記ベース板は、全周にゴム弾性を有する緩衝部材を巻着した薄い金属平板によって形成しているので、机や椅子、陳列・展示台、その他脚によって支持されている家具等の下にそのベース板を可及的に深く挿入して、支柱を上記家具等に近接配置して使用することができ、そのため、スタンドとして広範囲な利用に適し、この場合に、上記ベース板における支柱立設用のボルトをその中心から偏寄した位置、望ましくは、円板状等をなすベース板の周辺から該ベース板の径の１／４程度中心に寄った位置に立設しておくと、そのベース板を家具等の下に深く挿入することができる。しかも、上記緩衝部材は、その接地部により、平板が全面的に接地する場合に比して支柱の安定的な立設に有効であるばかりでなく、上記家具等の下にベース板を挿入したりする場合に相手に傷を付けたりすることもない。
【００１２】
更に、上述したように、ベース板における支柱立設用のボルトをその中心から偏寄した位置にすると、該ベース板上に重錘を載置して支柱を安定的に立設するのに好都合なものになるが、上記ベース板の周辺の等分位置に少なくとも三つのアンカーボルト用の孔を設けて、必要に応じて地面その他にアンカーでより安定的に固定し、あるいは、前述したように、サイズの異なるベース板を選択的に使用して、支柱を安定化させることもできる。
【００１３】
また、近年は各種デジタルカメラによる撮影において、カメラからパソコンのディスプレーに画像を取り込む機器が多用され、そのため、撮影現場に可搬型のパソコンが持ち込まれることが多くなっているが、上記支柱を最短にしたときにその上端に取り付けるテーブルの高さをパソコンの使用に適した高さとしておくことにより、このスタンドの利用価値をより高めることができる。なお、上記テーブルはパソコン用に限るものではない。
【考案の効果】
【００１４】
以上に詳述した本考案の多目的伸縮スタンドは、可搬性においてすぐれた分離可能な支柱と薄いベース板により簡易なものとして構成され、支柱の周囲における歩行や各種作業の障害になったり歩行の邪魔になったりするような脚等が存在せず、そのため、人の歩行域や作業域において支柱を他物に近接して立設することができ、しかも、上記緩衝手段により支柱を安定的に立設して、多目的に利用することができる。
【図面の簡単な説明】
【００１５】
【図１】本考案に係る多目的伸縮スタンドの実施例を示す支柱パイプを部分的に省略した斜視図である。
【図２】上記実施例の縦断面図である。
【図３】上記実施例の多目的伸縮スタンドをテーブルの脚として用いた状態を示す斜視図である。
【図４】公知の三脚の問題点を説明するための説明図である。
【考案を実施するための形態】
【００１６】
図１及び図２は、本考案に係る多目的伸縮スタンドの実施の一例を示している。この多目的伸縮スタンドは、各種カメラによる撮影のための該カメラや照明関連機器の支持だけでなく、多目的に利用できるもので、厚さ数ｍｍ程度の薄い金属平板からなるベース板１に、支柱１０を固定するためのボルト２を溶接等により立設すると共に、該ベース板１の全周にゴム弾性を有する緩衝部材３を巻着し、上記ボルト２に金属パイプからなる支柱パイプ１１ａ〜１１ｄを複数段に伸縮自在に連結した上記支柱１０の下端の雌ネジ１２ａを螺脱自在に螺挿することにより構成している。上記多目的伸縮スタンドは、単に鉄板等を打ち抜いた安価な金属平板からなるベース板１にボルト２を立設して支柱１０を螺挿するようにしたものであるから、簡易且つ安価に、可搬性にすぐれたものとして構成することができる。
【００１７】
上記ベース板１は、円板状、楕円板状、または角部を除去した正多角形状等をなしているのが望ましく、必要に応じてその上に重錘を載置することにより支柱１０の立設を安定化させるものであり、上記重錘としては、多量の砂や金属粒を布や合成樹脂シートの袋等に収容したものが適しているが、それに限るものではない。また、上記ベース板１の全周に巻着した合成ゴムや軟質合成樹脂からなる緩衝部材３は、断面コ字状で環状をなしていてその内側の凹部３ａをベース板１の周辺に嵌着し、該緩衝部材３のベース板１の裏面側に当接する部分により接地部３ｂを形成させている。上記緩衝部材３の接地部３ｂは、単なる平板からなるベース板が全面的に接地する場合に比して、凹凸面への支柱１０の安定的な立設に有効なものである。
【００１８】
上記ベース板１には、上述した支柱立設用のボルト２が立設されているが、該ボルト２はベース板１の中心から偏寄した位置に設けるのが、上記重錘の載置を容易にするために望まれる。また、ベース板１を、机や椅子、陳列・展示台、その他脚によって支持されている家具等の下に可及的に深く挿入して支柱１０を上記家具等に近接配置する場合にも、外側に残るベース板１の面積を少なくして歩行の邪魔にならないようにするのに適している。上記緩衝部材３は、上記家具等の下にベース板１を挿入したりする場合に、相手に傷を付けるのを防止できる点でも有利なものである。上記支柱立設用のボルト２は、円板状等をなすベース板１の周辺から該ベース板の径の１／４程度中心に寄った位置にあるのが望ましいが、それに限るものではない。
【００１９】
一方、上記支柱１０は、金属パイプからなる複数の支柱パイプ１１ａ〜１１ｄを伸縮自在に連結することにより構成され、更に具体的には、上記支柱パイプ１１ａ〜１１ｄを下段から上段に行くに従って次第に小径化して、入れ子式（望遠鏡式）に順次下段の支柱パイプ内に挿入可能にし、最下端の支柱パイプ１１ａの下端には上記雌ネジ１２ａを有する雌ネジ部材１２を固定している。
【００２０】
そして、最上端の支柱パイプ１１ｄを除く各支柱パイプ１１ａ〜１１ｃの上端部に、それぞれ、連結部材１３ａ〜１３ｃにおける固定部１４をネジ固定し、該連結部材１３ａ〜１３ｃの固定部１４上に、その上位の支柱パイプを締め付け固定する締付環１５を連設して、該締付環１５における分割した締結片間に摘み付きボルト１６を螺挿することによりそれらを締め付け可能にし、これによって、上位の支柱パイプの任意位置を締め付け固定することにより、複数段に伸縮自在とした支柱パイプ１１ａ〜１１ｄの上端の高さを任意に設定できるよにしている。なお、上記各連結部材１３ａ〜１３ｃにおける固定部１４上の締付環１５の下部にはそれぞれ係止段部１７を設け、それらの締付環１５によって固定する支柱パイプ１１ｂ〜１１ｄの下端に形成した拡径部１８をそれに係止させることにより、支柱パイプ１１ｂ〜１１ｄの伸長限度を設定している。
【００２１】
最上段の支柱パイプ１１ｄの上端に設けた取付台２０は、雲台やその他の支持対象物の取付軸を嵌入する上向きの支持孔２１を有していて、上記取付軸をその支持孔２１に嵌入して固定用ネジ２２でネジ固定することにより、上記支持対象物を固定可能にしたものである。また、上記支柱１０の上端には、図３に示すように、上記取付台を利用してテーブル２５を固定するように構成することができる。この場合、該テーブル２５の下面に、支柱１０の上端の取付台２０における支持孔２１に嵌入して固定用ネジ２２でネジ固定可能な取付軸を設けておく必要がある。そして、伸縮自在の上記支柱１０を最短にしたときの高さを、上記テーブル２５の使用に適する高さ（７０ｃｍ程度）としておくことが望まれる。
【００２２】
上述した多目的伸縮スタンドにおいては、ベース板１の周辺の等分位置に少なくとも三つのアンカーボルト用の孔（図示省略）を設け、必要に応じて地面その他にアンカーでより安定的に固定することができ、また、サイズを異にする複数のベース板１を備えて、それらのいずれにも同一の支柱１０を螺挿できるボルト２を立設しておき、適切なサイズのベース板１を選択的に使用することにより、支持対象物の大きさや重量に応じて支柱１０を一層安定化させることもできる。
【符号の説明】
【００２３】
１    ベース板
２    ボルト
３    緩衝部材
３ａ    凹部
３ｂ    接地部
１０    支柱
１１ａ〜１１ｄ    支柱パイプ
２０    取付台
２１    支持孔
２５    テーブル
【図１】
0003155574.tif 000003
【図２】
0003155574.tif 000004
【図３】
0003155574.tif 000005
【図４】
0003155574.tif 000006